(57)【特許請求の範囲】
【請求項１】
横断面が多角形状をした略透明の柱状構造体（２）が、その長手方向の中心軸周りで回転可能に、かつ複数本並列するように取り外し自在に取り付けられた固定枠（１）と、
前記固定枠（１）の隣り合う柱状構造体（２）の間隙（２ａ）に、略隙間なく入り込むように取り付けられ、かつその長手方向の中心軸周りで回転可能になり、横断面が多角形状をした略透明の柱状構造体（５）が、複数本並列するように取り外し自在に取り付けられた可動枠（４）と、
前記可動枠（４）の柱状構造体（５）が、前記固定枠（１）の隣り合う柱状構造体（２）の間隙（２ａ）に入り込むように該可動枠（４）を進入移動させ、かつ前記固定枠（１）の柱状構造体（２）を前記間隙（２ａ）から出る方向に該可動枠（４）を離反移動させる可動機構（７）と、
前記固定枠（１）の各柱状構造体（２）と、前記可動枠（４）の各柱状構造体（５）を一体に所望角度回転させるための回転機構（９）と、
を備えた、ことを特徴とする窓構造。
【請求項２】
前記固定枠（１）の各柱状構造体（２）と前記可動枠（４）の各柱状構造体（５）の横断面を共に矩形状に形成し、該柱状構造体（２，５）の長手方向の一側面を不透明部材（２１、５１）で覆った、ことを特徴とする請求項１の窓構造。
【請求項３】
前記固定枠（１）の各柱状構造体（２）と前記可動枠（４）の各柱状構造体（５）の横断面を共に矩形状に形成し、該柱状構造体（２，５）の長手方向の一側面を偏光ガラス部材で覆った、ことを特徴とする請求項１の窓構造。
【請求項４】
前記柱状構造体（２）が、前記固定枠（１）にその長手方向の中心軸周りで３６０度回転可能に取り付けられた、ことを特徴とする請求項１の窓構造。
【請求項５】
前記柱状構造体（５）が、前記可動枠（４）にその長手方向の中心軸周りで３６０度回転可能に取り付けられた、ことを特徴とする請求項１の窓構造。
【請求項６】
略透明の略円柱形状の柱状構造体（２１０）が、その長手方向の中心軸周りで回転可能に、かつ複数本並列するように取り外し自在に取り付けられた固定枠と、
前記固定枠の隣り合う柱状構造体（２１０）の間隙に、略隙間なく入り込むように取り付けられ、かつその長手方向の中心軸周りで回転可能になる略透明の略円柱形状の柱状構造体（５１０）が、複数本並列するように取り外し自在に取り付けられた可動枠と、
前記可動枠の柱状構造体（５１０）が、前記固定枠の隣り合う柱状構造体（２１０）の間隙に入り込むように該可動枠を進入移動させ、かつ前記固定枠の柱状構造体（２１０）を前記間隙から出る方向に該可動枠を離反移動させる可動機構と、
前記固定枠の各柱状構造体（２１０）と、前記可動枠の各柱状構造体（５１０）を一体に所望角度回転させるための回転機構と、
を備えた、ことを特徴とする窓構造。
【発明の詳細な説明】
【０００１】
【発明の属する技術分野】
本発明は、建築物の壁面に取り付けられる窓構造に関するものである。
【０００２】
【従来の技術】
従来、サッシ窓などにおいては、一枚のガラス板をサッシ枠内に組み付けて扉を構成する。そして、２枚の扉を窓枠に取り付けて、一方の扉を左右方向又は上下方へ移動させることで、窓を開閉できるようにしている。
また、透明又は半透明のガラスが取り付けられた扉の窓を有する建築物では、窓の内側にカーテンなどを配置して、太陽光の室内への入射を阻止したり、建築物内を見えないようにしている。
【０００３】
【発明が解決しようとする課題】
しかし、上記した従来の２枚の扉を窓枠に取り付けた窓構造では、その扉のガラス板が破損すると、そのガラス板の全体を交換しなければならず、その修繕費用が大きいという問題があった。
【０００４】
また、建築物内部を窓の外から見えないようにしたり、太陽光を室内へ入れたいとき、あるいは外を建築物内から見えるようにするために、カーテンなどの余分な器具が必要にあるという問題があった。
【０００５】
本発明は、かかる問題点を解決するために創案されたものである。すなわち、本発明の目的は、窓枠内のガラス等が破損した場合に、その破損部分のみを交換することが可能であり、しかも、カーテンなどの余分な器具を用いることなく、建築物内を隠すと共に建築物の外部からの不審者の侵入を阻止することができる窓構造を提供することにある。
【０００６】
【課題を解決するための手段】
本発明の窓構造によれば、横断面が多角形状をした略透明の柱状構造体（２）が、その長手方向の中心軸周りで回転可能に、かつ複数本並列するように取り外し自在に取り付けられた固定枠（１）と、前記固定枠（１）の隣り合う柱状構造体（２）の間隙（２ａ）に、略隙間なく入り込むように取り付けられ、かつその長手方向の中心軸周りで回転可能になり、横断面が多角形状をした略透明の柱状構造体（５）が、複数本並列するように取り外し自在に取り付けられた可動枠（４）と、前記可動枠（４）の柱状構造体（５）が、前記固定枠（１）の隣り合う柱状構造体（２）の間隙（２ａ）に入り込むように該可動枠（４）を進入移動させ、かつ前記固定枠（１）の柱状構造体（２）を前記間隙（２ａ）から出る方向に該可動枠（４）を離反移動させる可動機構（７）と、前記固定枠（１）の各柱状構造体（２）と、前記可動枠（４）の各柱状構造体（５）を一体に所望角度回転させる回転機構（９）と、を備えた、ことを特徴とする窓構造が提供される。
【０００７】
上記構成の窓構造では、可動枠（４）を可動機構（７）によって進入移動させることにより、可動枠（４）の柱状構造体（５）を、固定枠（１）の隣り合う柱状構造体（２）の間隙（２ａ）に入り込ませ、整列させることで、隙間のない透明な窓を構成することができる。一方、可動枠（４）を可動機構（７）によって、固定枠（１）から離反移動させることにより、固定枠（１）の柱状構造体（２）の間隙（２ａ）に入り込んでいる可動枠（４）の柱状構造体（５）を間隙（２ａ）から出すことができ、窓構造に通風空間が形成され、風通しがよくなる。更に、柱状構造体（２，５）が破損した場合には、その破損した柱状構造体（２，５）のみを容易に交換することができる。
【０００８】
また、前記柱状構造体（２，５）の一例として、前記固定枠（１）の各柱状構造体（２）と前記可動枠（４）の各柱状構造体（５）の横断面を共に矩形状に形成し、該柱状構造体（２，５）の長手方向の一側面を不透明部材（２１、５１）で覆った構成とすることができる。
【０００９】
この構成では、不透明部材（２１、５１）で覆われた一側面を建築物の外側又は室内側に向くように柱状構造体（２，５）を、固定枠（１）と可動枠（４）それぞれに取り付けておくことで、外から建築物内部を見ることができないようになる。そして、可動枠（４）を可動機構（７）によって、固定枠（１）から離反移動させることにより、固定枠（１）の柱状構造体（２）の間隙（２ａ）に入り込んでいる可動枠（４）の柱状構造体（５）を間隙から出し、回転機構（９）によって、固定枠（１）と可動枠（４）の柱状構造体（２、５）を一体に９０度回転させた不透明部材（２１，５１）を窓構造の透光方向と平行に並べた後、可動枠（４）を可動機構（７）によって進入移動させて、可動枠（４）の柱状構造体（５）を固定枠（１）の隣り合う柱状構造体（２）の間隙（２ａ）に入り込ませることで、外から建築物内部を見ることができないようになる。特に、この不透明部材（２１、５１）に鉄板をもちれば、シャッターとしての機能を有するので、建築物の外部からの不審者の侵入を阻止することができる。
【００１０】
更に、前記固定枠（１）の各柱状構造体（２）と前記可動枠（４）の各柱状構造体（５）の横断面を共に矩形状に形成し、該柱状構造体（２，５）の長手方向の一側面を偏光ガラス部材で覆った構成とすることができる。
【００１１】
この構成では、偏光ガラス部材で覆われた柱状構造体（２，５）の一側面を建築物の外側に向けておくことで、外から建築物内部に入り込む日差しを和らげることができる。
【００１２】
なお、横断面が矩形状に形成した各柱状構造体（２，５）に代えて、略円柱形状の柱状構造体（２１０）を使用することも可能である。
【００１３】
前記柱状構造体（２）は、前記固定枠（１）にその長手方向の中心軸周りで３６０度回転可能に取り付けられたものが好ましい。また、前記柱状構造体（５）は、前記可動枠（４）にその長手方向の中心軸周りで３６０度回転可能に取り付けられたものが好ましい。
【００１５】
【発明の実施の形態】
以下、本発明の好ましい実施の形態を図面を参照して説明する。
図１は本発明の窓構造の実施の形態を示す一部切り欠いた分解斜視図である。図２は固定枠に可動枠が進入している状態の窓構造を示す斜視図である。図３は柱状構造体の取り付け状態を示す一部省略した側面図である。
本発明の窓構造は、固定枠１と可動枠４と可動機構７と回転機構９とを具備している。
固定枠１は、建築物の壁などに固定される部分であり、横断面が矩形状の複数の柱状構造体２がフレーム３に等間隔で取り付けられている。各柱状構造体２は、強化ガラスや強化プラスチック等略透明な柱状体から成り、その長手方向の一側面に不透明部材としての鉄板２１が貼り付けられている。
【００１６】
これらの柱状構造体２の上部及び下部には、図３に示すように、その長手方向に中心軸２２，２３がそれぞれ突設されている。そして、各中心軸２２，２３が、フレーム３の上板３０の下面に設けられた円筒状のホルダ３１と、後述する回転機構９のギア９０が取り付けられた四角筒状のホルダ３２とにそれぞれ挿入されている。
一方の中心軸２２は円柱状構造体であり、ホルダ３１内部のスプリング３３によって下方に押圧された状態で挿入されている。他方の中心軸２３は、四角柱状構造体であり、空のホルダ３２に挿入されている。
すなわち、柱状構造体２は、フレーム３に対して着脱自在に取り付けられており、柱状構造体２をスプリング３３の弾性力に抗して上方に押し上げた後、柱状構造体２の中心軸２３をホルダ３２から抜くことで、柱状構造体２をフレーム３から取り出すことができる。また、逆に操作することで、柱状構造体２をフレーム３に取り付けることができる。
【００１７】
可動枠４は、図１に示すように、固定枠１と同様に、柱状構造体２と同構造で鉄板５１を有した複数本の柱状構造体５をフレーム６に等間隔で取り付けた構造になっている。
この柱状構造体５もフレーム６に着脱自在に取り付けられている。すなわち、図３に示すように、それぞれ円柱及び四角柱状の中心軸５２，５３が、フレーム６の上板６０の下面に設けられ、且つ内部にスプリング６３を収納した円筒状ホルダ６１と回転機構９のギア９１が取り付けられ四角形状のホルダ６２とにそれぞれ挿入されている。
なお、図１に示すように、隣り合う柱状構造体２同士の間隙及び隣り合う柱状構造体５同士の間隙は、共に柱状構造体２，５の太さに略等しく設定されており、しかも、柱状構造体５は、柱状構造体２の間隙２ａに対応する位置に配されている。これにより、固定枠１と可動枠４とを組み合わせると、図２に示すように、柱状構造体２と柱状構造体５が互いの間隙に入り込み、柱状構造体２の表面と柱状構造体５の表面とが面一になる。
【００１８】
図１において、可動機構７は、柱状構造体５が固定枠１の柱状構造体２の間隙２ａに入り込んでいる柱状構造体５をの間隙２ａから出す方向に可動枠４を固定枠１を離反移動させることができる機構である。
具体的には、フレーム３の四角筒状の下枠３４の上面３５に長孔７０が穿設されている。この長孔７０は柱状構造体５の中心軸５３を挿入するための孔であり、柱状構造体２の間隙２ａの中央部に位置するように設定されている。詳しくは、可動枠４のフレーム６の上板６０はフレーム３の上板３０の下側に配され、フレーム６の下板６４は、フレーム３の下板３４内に嵌め込まれている。すなわち、柱状構造体５の中心軸５３が、下板３４の長孔７０に移動自在に挿入され、フレーム６の両側の取っ手６５の基部６５ａ，６５ｂが、フレーム３の両側面３７の長孔７１ａ，７１ｂには移動自在に挿入されている。したがって、両取っ手６５は、図２に示すように、両側面３７の外側に出ており、この取っ手６５を掴んで、長孔７１ａ，７１ｂの長さ方向に引っ張ることで、可動枠４全体が移動し、柱状構造体５が柱状構造体２の間隙２ａ内に入り込み、また、間隙２ａから出るようになっている。
さらに、この可動機構７は、図１に示すように、可動枠４の位置決め機構を有している。
具体的には、折り曲げ部７２がフレーム６の下板６４の両側部に設けられ、逆Ｕ字状の板バネ７３がこの折り曲げ部７２に固着されている。この板バネ７３は、その一方端部のみが折り曲げ部７２に固着されており、折り曲げ部７２方向に撓むことができる。
【００１９】
図４（ａ）（ｂ）（ｃ）は板バネの小孔への係合を示す側断面図である。
固定枠１のフレーム３の両側部３７には、板バネ７３が嵌り込み可能な小孔７４，７５が折り曲げ部７２と対応する位置に穿設されている。
すなわち、図２に示すような固定枠１と可動枠４とが組み合わされた状態では、図４の（ａ）に示すように、板バネ７３が小孔７４に係合している。そして、可動枠４と固定枠１から離反させる方向に移動させていくと、図４の（ｂ）に示すように、板バネ７３が側面３７の圧力で延びる。さらに、可動枠４を固定枠１から完全に離反させた位置では、図４の（ｃ）に示すように、板バネ７３が小孔７５に係合して、可動枠４がこの位置に位置決めされる。
なお、図１において、符号７９は固定枠１のホルダ３２との干渉を避けるための切り欠きである。
【００２０】
図５は固定枠の柱状構造体のギアとウオームギアとの噛み合い状態及び可動枠の柱状構造体のギアとウオームギアとの噛み合い状態を示す拡大断面図である。
回転機構９は、固定枠１の柱状構造体２と可動枠４の柱状構造体５をそれぞれ一体に所定角度だけ回転させる機構である。
この回転機構９は、固定枠１の柱状構造体２を回転させる部分と、可動枠４の柱状構造体５を回転させる部分とを備えている。
柱状構造体２を回転させる部分は、図５の（ａ）に示すように、各柱状構造体２の下側に位置するギア９０と、下枠３４の前板３８の裏側に取り付けられたウオームギア９２とで構成されている。具体的には、図３に示すように、ホルダ３２が下枠３４の上面３５にベアリング９０ａを介して回転自在に取り付けられており、ギア９０がこのホルダ３２の下部に固着されている。また、図１及び図５の（ａ）に示すように、ウオームギア９２は前板３８に回転自在に取り付けられ、その一端には、ギア９３が固着されている。
【００２１】
一方、可動枠４の柱状構造体５を回転させる部分は、図５の（ｂ）に示すように、各柱状構造体５の下側に位置するギア９１と、下枠３４の後板３９に取り付けられたウオームギア９４とで構成されている。具体的には、図３に示すように、可動枠４の下板６４に回転自在に取り付けられたホルダ６２の下部にギア９１が固着されている。また、図１に示すように、ウオームギア９４は後板３９に回転自在に取り付けられ、その一端には、ギア９５が固着されている。
そして、このギア９５とウオームギア９４のギア９３とには、チェーン９６が巻き付けられ、さらに、ギア９３には、側面３７に取り付けられたハンドル９７の先端部が連結されている。
【００２２】
図６は本発明の窓構造の使用方法を示す平断面概略図である。
次に、この実施形態の窓構造の使用例について説明する。
通常は図２及び図６の（ａ）に示すように、可動枠４を固定枠１側に移動させておく。この場合には、柱状構造体２及び柱状構造体５の鉄板２１及び鉄板５１が窓の透光方向と平行にあるため、この窓を介して建築物の内部を外から見ることができる。この状態では、可動機構７の板バネ７３が、図４の（ａ）に示すように、小孔７４に係合している。
一方、建築物の内部を見せないようにするには、板バネ７３を押し込んで取っ手６５を小孔７５側に引くと、図４の（ｂ）に示すように、板バネ７３が延びた状態になり、可動枠４全体が小孔７５側に水平移動する。
そして、板バネ７３が小孔７５に係合すると、ギア９１が回転機構９のウオームギア９４に噛み合う。この状態で、ハンドル９７を回転させると、ウオームギア９２が回転し、これに噛み合った各ギア９０が回転する。この結果、図６の（ｂ）に示すように、柱状構造体２，５がギア９０，９１の回転に伴って回転し、鉄板２１，５１が建築物の外方を向く。従って、柱状構造体２，５の鉄板２１，５１が建築物の外方に完全に向いた時点で、ハンドル９７の回転を止め、板バネ７３を押し込むと共に取っ手６５を用いて可動枠４を固定枠１側に移動させる。すると、固定枠１と可動枠４とが、図６の（ｃ）に示すように組み合わせたり、鉄板２１，５１が建築物の内部を外部から完全に遮断することができる。
【００２３】
このように、この実施形態の窓構造によれば、ガラスが破損した場合には、破損部分に該当する柱状構造体２，５のみを取り換えるだけで、修繕作業が済むので修繕費用の低減化を図ることができる。
また、カーテンなどの余分な器具を用いることなく、建築物内を隠したり見せたりすることができるので、非常に便利である。
【００２４】
図７は本発明の窓構造の他の実施の形態を示す平断面概略図である。
固定枠１等に等間隔で取り付けられる柱状構造体２，５は、その横断面が矩形状のものに限定されない。例えば、柱状構造体２１０の横断面が略円形状をした略透明の略円柱を用いることができる。この略円柱状の柱状構造体２１０を、枠体にその長手方向の一側に不透明部材を形成されたものである。複数本の柱状構造体２１０が、その長手方向の中心軸周りで回転可能に、かつ隙間なく並列するように取り外し自在に取り付けられたものである。これらの柱状構造体２１０を一体に所望角度回転させる回転機構と、を備えるように構成することができる。
【００２５】
図８（ａ）（ｂ）は柱状構造体の他の実施の形態を示す平断面概略図である。
柱状構造体は、その横断面が略円形状以外に、略楕円形状又は略長円形状に形成した柱状構造体２１１，２１２を採用することができる。この略楕円形状又は略長円形状に形成した柱状構造体では、横断面に短径部分と長径部分があるために、上述した固定枠１と可動枠５を設けなくても、柱状構造体２１１，２１２の回転角度に応じて隣接する柱状構造体２１１，２１２間に大きな隙間が形成されるので、容易に通風空間を形成することができる。
【００２６】
横断面が略円形状、略楕円形状又は略長円形状に形成した柱状構造体２１０，５１０，２１１，２１２は、そのレンズ効果で太陽の入射光を様々変化させることが可能である。更に、この柱状構造体２１０，５１０，２１１，２１２の内径やその形状の変化に応じて光量を調節することができる。
【００２７】
なお、本発明は上述した発明の実施の形態に限定されず、ガラス窓を並列する透明な柱状構造体２，５で構成し、この柱状構造体２，５を回転させ、更に隣接する柱状構造体２，５間に大きな隙間を形成することにより、ガラス窓を閉じた状態、窓を開放した状態、更にカーテンやシャッターを閉じた状態を瞬時に変更させる構造であれば、図示した構成に限定されず、本発明の要旨を逸脱しない範囲で種々変更できることは勿論である。
【００２８】
また、図指例では柱状構造体２，５を縦に並列させた状態を示しているが、上述した構成に限定されず、柱状構造体２，５を横方向に並列又は傾斜して並列させることも可能である。
【００２９】
【発明の効果】
本発明の窓構造は、可動機構を用いて窓に隙間を発生させ、風通しを良くすることができるだけでなく、柱状構造体が破損した場合には、その破損した柱状構造体だけを交換することができるので、修繕費用の低減化を図ることができる。
【００３０】
また、柱状構造体の一側面を不透明部材で覆った構成とすることで、可動機構と回転機構とを用いることにより、建築物内部の開放や遮蔽を自由に行うことができ、便利である。
【００３１】
更に、偏光ガラス部材で柱状構造体の一側面を覆う構成とするで、外から建築物内に入り込む日差しを和らげることができる、等の効果がある。
【図面の簡単な説明】
【図１】本発明の窓構造の第一の実施の形態を示す一部切り欠いた分解斜視図である。
【図２】第一の実施の形態の窓構造を示す斜視図である。
【図３】柱状構造体の取り付け状態を示す一部省略した側面図である。
【図４】板バネの小孔への係合を示す側断面図であり、（ａ）は板バネが小孔に係合している状態、（ｂ）は板バネが側面の圧力で延びた状態、（ｃ）は板バネが他の小孔に係合した状態である。
【図５】固定枠の柱状構造体のギアとウオームギアとの噛み合い状態及び可動枠の柱状構造体のギアとウオームギアとの噛み合い状態を示す拡大断面図であり、（ａ）は固定枠の柱状構造体のギアとウオームギアとの噛み合い状態、（ｂ）は固定枠と可動枠両方の柱状構造体のギアとウオームギアとの噛み合い状態である。
【図６】本発明の窓構造の使用方法を示す平断面概略図であり、（ａ）は建築物内部に透光する状態で窓を閉めた状態、（ｂ）は各柱状構造体を回転させる状態、（ｃ）は建築物の内部を見せないように窓を閉めた状態である。
【図７】本発明の窓構造の他の実施の形態を示す平断面概略図であり、（ａ）は建築物内部に透光する状態で窓を閉めた状態、（ｂ）は各柱状構造体を回転させる状態、（ｃ）は建築物の内部を見せないように窓を閉めた状態である。
【図８】柱状構造体の他の実施の形態を示す平断面概略図であり、（ａ）は横断面が略楕円径状の柱状構造体、（ｂ）は横断面が略長円径状の柱状構造体である。
【符号の説明】
１  固定枠
２，５，２１０，２１１，２１２，５１０  柱状構造体
２ａ  隙間
３，６  フレーム
２１，５１  鉄板（不透明部材）
２２，２３，５２，５３  中心軸
４  可動枠
７  可動機構
９  回転機構
３４  下枠
６５  取っ手
７０  長孔
７３  板バネ
７４，７５  小孔
９０，９１，９３，９５  ギア
９２，９４  ウオームギア
９６  チェーン
９７  ハンドル
【図１】
0003681678.tif 000002
【図２】
0003681678.tif 000003
【図３】
0003681678.tif 000004
【図４】
0003681678.tif 000005
【図５】
0003681678.tif 000006
【図６】
0003681678.tif 000007
【図７】
0003681678.tif 000008
【図８】
0003681678.tif 000009